(57)【要約】【課題】  視覚による刺激が強い小型扇風機を提供する。【解決手段】  把持部２から突出した駆動モータの回転軸に、はね３３を有するファン部３を取り付け、このファン部３に、光を外部に向けて点滅状に発光させる発光体３４を設け、発光体３４を、はね３３に配置すると共に、発光体３４に、駆動モータの回転軸を介して電気を供給することにより、はね３３の回転に伴って多重円を構成する様々な光のパターンを表示するようにしたことにより、前記課題を解決した。はね３３が、透明な樹脂で柔軟性に優れた袋状に形成され、このはね内に、２つ以上のチップＬＥＤ４６が実装されたフレキシブル基板４７が設けられていることが好ましい。【選択図】        図１
0003110299.tif 000002
【実用新案登録請求の範囲】
【請求項１】
把持部から突出した駆動モータの回転軸に、はねを有するファン部を取り付け、このファン部に、光を外部に向けて点滅状に発光させる発光体を設けた小型扇風機であって、前記発光体を、前記はねに配置すると共に、該発光体に、前記駆動モータの前記回転軸を介して電気を供給することにより、前記はねの回転に伴って多重円を構成する様々な光のパターンを表示するようにしたことを特徴とする、小型扇風機。
【請求項２】
前記発光体が、２つ以上のＬＥＤからなることを特徴とする、請求項１に記載の小型扇風機。
【請求項３】
前記発光体が、２つ以上のチップＬＥＤからなり、これらチップＬＥＤが、前記回転軸を軸として径方向外方に所定の間隔で配置されていることを特徴とする、請求項１又は２に記載の小型扇風機。
【請求項４】
前記はねが、透明な樹脂で柔軟性に優れた袋状に形成され、このはね内に、前記２つ以上のチップＬＥＤが実装されたフレキシブル基板が設けられていることを特徴とする、請求項３に記載の小型扇風機。
【請求項５】
前記把持部に、給電源が設けられ、この給電源により前記駆動モータが駆動されると共に、前記発光体が発光されることを特徴とする、請求項１〜４のいずれか１項に記載の小型扇風機。
【請求項６】
前記給電源が、交換可能な電池であることを特徴とする、請求項５に記載の小型扇風機。
【請求項７】
前記ファン部と前記給電源とは、前記ファン部が取り付けられた回転軸と、この回転軸の外周に絶縁体を介して取り付けられた円筒状の導電部と、を介して電気的に接続されていることを特徴とする、請求項５又は６に記載の小型扇風機。
【考案の詳細な説明】
【技術分野】
【０００１】
本考案は、片手で持って使用できるハンディタイプの小型扇風機に関するものである。
【背景技術】
【０００２】
従来、把持部と、この把持部に取り付けたファンと、このファンを回転させる
駆動モータを有すると共に、電源として電池或は蓄電池を用い、この電源を把持
部内に収納し、該把持部を片手で持って使用できるハンディタイプの小型扇風機
が種々公知である。
【０００３】
これらの公知のハンディタイプの小型扇風機は、把持部を片手で持って主とし
て顔に風を当てるために用いられているが、使用時に同時に視覚的に楽しめるよ
うにしたものは見当たらなかった。そこで、本出願人は先に片手で持って使用しながら、同時に視覚的にも楽しめるハンディタイプの小型扇風機を提案した（実用新案登録第３０７８０３５号公報参照。）。この小型扇風機は、把持部から突出した駆動モータの回転軸に、風を発生させるためのはねを有するファン部を取り付け、このファン部に、光を外部に向けて点滅状に発光させる光の点滅装置を設けて、駆動モータによってファン部を回転させると、ファン部の回転に伴って様々な光のパターンが表示されるようになっている。
【考案の開示】
【考案が解決しようとする課題】
【０００４】
ところで、前記の小型扇風機におけるファン部は、駆動モータの回転軸にその同軸上に取り付けられる略円盤状の基部と、この基部の周面から径方向外方に延びるはねとで構成されている。その基部の端面に、所定の周期或はランダムに点滅する複数のＬＥＤランプが取り付けられており、これらＬＥＤランプの発光により様々な光のパターンが表示されて視覚的にも楽しめるものであったが、しかし、ＬＥＤランプは基部の端面に設けられているため、光を発生させる範囲が狭いので、視覚による刺激が弱かった。
【０００５】
本考案は、前記課題を解決するためになされたものであって、その目的は、視覚による刺激が強い小型扇風機を提供することにある。
【課題を解決するための手段】
【０００６】
前記の目的を達成するための本考案に係る小型扇風機は、把持部から突出した駆動モータの回転軸に、はねを有するファン部を取り付け、このファン部に、光を外部に向けて点滅状に発光させる発光体を設けた小型扇風機であって、前記発光体を、前記はねに配置すると共に、該発光体に、前記駆動モータの前記回転軸を介して電気を供給することにより、前記はねの回転に伴って多重円を構成する様々な光のパターンを表示するようにしたことを特徴とする。
【０００７】
この考案によれば、発光体をはねに配置したことにより、例えば、駆動モータの回転軸に取り付けられてはねが取り付けられたり支持されたりする基部に発光体を配置した場合に比して発光範囲が拡がるので、視覚による刺激が強くなる。その結果、玩具としても用いることができる。
【０００８】
本考案に係る小型扇風機において、前記発光体が、２つ以上のＬＥＤからなることが好ましい。また、本考案に係る小型扇風機において、前記発光体が、２つ以上のチップＬＥＤからなり、これらチップＬＥＤが、前記回転軸を軸として径方向外方に所定の間隔で配置されていることが好ましい。また、本考案に係る小型扇風機において、前記はねが、透明な樹脂で柔軟性に優れた袋状に形成され、このはね内に、前記２つ以上のチップＬＥＤが実装されたフレキシブル基板が設けられていることが好ましい。
【０００９】
また、本考案に係る小型扇風機において、前記把持部に、給電源が設けられ、この給電源により前記駆動モータが駆動されると共に、前記発光体が発光されることが好ましい。また、本考案に係る小型扇風機において、前記給電源が、交換可能な電池であることが好ましい。また、本考案に係る小型扇風機において、前記ファン部と前記給電源とは、前記ファン部が取り付けられた回転軸と、この回転軸の外周に絶縁体を介して取り付けられた円筒状の導電部と、を介して電気的に接続されていることが好ましい。
【考案の効果】
【００１０】
以上説明したように、本考案に係る小型扇風機は、発光体をはねに配置したので、発光範囲が拡がって視覚による刺激が強くなり、扇風機としては勿論玩具としても用いることができる。
【考案を実施するための最良の形態】
【００１１】
以下、本考案に係る小型扇風機を添付図面に基づいて詳述する。
【００１２】
図１〜図５は本考案に係る小型扇風機の一例を示す図である。本考案に係る小型扇風機は、図１〜図５に示すように、把持部２とファン部３とからなる。
【００１３】
把持部２は、略中空円柱状に形成されている。把持部２の径及び長さは、例えば大人が片手で握れる程度の寸法で形成されていることが好ましい。また、把持部２は、片手で握りやすいような形状で形成されていることが好ましい。把持部２は、前面側となる第１ケース２ａと、後面側となる第２ケース２ｂとからなる。
【００１４】
把持部２の上部となる一端部は、把持部２の長手方向に対して直交する直交方向又はこの直交方向対して傾斜した傾斜方向に軸を有する略太鼓状に形成されている。すなわち、この把持部２の一端部は頭部１１として形成されている。頭部１１は、例えば、直交方向に対して傾斜、例えば、若干の仰角をもって略太鼓状に把持部２に一体的に形成されている。頭部１１の傾斜角度は、特に限定されず、例えば、５°〜１５°である。頭部１１の傾斜方向上方側の端部（一方の端部）が前面１１ａとして形成され、この前面１１ａは円形平板状に形成されている。頭部１１の他方の端部は略球面状に形成されている。なお、頭部１１は、把持部２に若干の仰角をもって一体的に形成されているが、これに限定されず、頭部１１を把持部２と同軸方向に設け、その先端にファン部３を取り付けたり、頭部１１と把持部２とを分離独立させて、頭部１１を把持部２に対し上下左右の方向へ首を振らせるように構成しても良い。
【００１５】
頭部１１内に駆動モータ１２が収容されている。駆動モータ１２としては、特に限定されず、例えば、小型の直流モータ等が用いられている。この駆動モータ１２は、導電性の回転軸１３の先端部が前面１１ａの中央部（略中央部を含む。）から突出すると共に、回転軸１３が頭部１１の軸と略同軸上となるように頭部１１内に収容固定されている。
【００１６】
駆動モータ１２の回転軸１３の後端部は、図３、図５〜図７に示すように、駆動モータ１２のモータ筐体１４から突出例えば若干突出しており、この回転軸１３の後端部の端面に導電性の金属板からなる導電当接板５１が当接されている。この導電当接板５１は、例えば、モータ筐体１４の導電性の導電筐体部１４ａに一端部が固定され、他端部が付勢力をもって回転軸１３の後端部に、回転軸１３を軸方向に後端部から先端部方向に付勢しつつ当接されて導電性の板バネとして形成されている。これにより、回転軸１３が回転した状態においても常時導電当接板５１と回転軸１３とが電気的に接続されるようになっている。
【００１７】
また、頭部１１の前面１１ａの内側には、導電性の金属板からなるブラシ部材５２が設けられている。ブラシ部材５２は、一端部が前面１１ａの内側に固定され、他端部が付勢力をもって後述する円筒導電部４９の外周表面に当接されて導電性の板バネとして形成されており、回転軸１３が回転した状態においても常時円筒導電部４９とブラシ部材５２とが電気的に接続されるようになっている。なお、駆動モータ１２の回転軸１３の後端部に導電当接板５１を当接して常時導電当接板５１と回転軸１３とを電気的に接続したが、図８に示すように、回転軸１３の外周表面に導電性の金属板からなるブラシ部材５３を当接して、回転軸１３が回転した状態においても常時回転軸１３とブラシ部材５３が電気的に接続されるようにしてもよい。また、ブラシ部材５２を頭部１１の前面１１ａの内側に設けたが、ブラシ部材を前面１１ａの外側に設けて回転軸１３が回転した状態においても常時円筒導電部４９とブラシ部材とが電気的に接続されるようにしてもよい。
【００１８】
把持部２には、図３及び図５に示すように、給電源１６が設けられている。給電源１６は、例えば、電池、充電可能なバッテリー等であり、電池が好ましい。電池としては、市販されている一次電池、二次電池等特に限定されないが、汎用性を考慮すると、単３型電池及び単４型電池１７等であることが好ましい。単３型電池及び単４型電池１７は、使いきりタイプの一次電池でも、充電可能な二次電池でもどちらでもよく、また、本数も特に限定されない。給電源１６としては、例えば、２本の単３型電池、３本の単４型電池１７等が好ましく、特に３本の単４型電池１７が好ましい。
【００１９】
把持部２には、３本の単４型電池１７を交換可能に収容する電池収容部１８が設けられている。電池収容部１８には、収容された３本の単４型電池１７を直列に接続するためのプラス端子６１、第１直列端子６２、第２直列端子６３、マイナス端子６４が設けられている。また、把持部２の後部側（太鼓部の後部側に相当する側）には、電池収容部１８への電池１７の出し入れをする開口部が設けられ、この開口部を形成する把持部２には、開口部を開閉する蓋１９が着脱可能に取り付けられている。
【００２０】
また、把持部２には、図１〜図５に示すように、電源スイッチ２５が設けられている。電源スイッチ２５は、特に限定されず、例えば、操作ボタン２６を押し込み操作することによりＯＮ、ＯＦＦを切り替える電源スイッチ等が用いられている。すなわち、電源スイッチ２５は、操作ボタン２６を押し込み操作することによりＯＮ、ＯＦＦが切り替るもので、例えば、その操作ボタン２６が、把持部２の頭部１１近傍の側部に相当する箇所から突出している。その操作ボタン２６を押し込み操作して操作ボタン２６が押し込み操作する前より突出長さが短い場合にはＯＮ状態であり、突出長さが長い場合にはＯＦＦ状態になる。
【００２１】
この電源スイッチ２５は、給電源１６のプラス極である電池収容部１８のプラス端子６１と駆動モータ１２のプラス極との間に電気的に接続されている。給電源１６のマイナス極である電池収容部１８のマイナス端子６４は、リード線等の導線６５を介して駆動モータ１２の導電筐体部１４ａに電気的に接続されている。導電筐体部１４ａと駆動モータ１２のマイナス極とがリード線等の導線６６を介して電気的に接続されている。また、電源スイッチ２５には、ブラシ部材５２がリード線等の導線６７を介して電気的に接続されており、回転軸１３が回転している状態においても常時円筒導電部４９がプラス端子として形成されると共に回転軸１３がマイナス端子として形成されるようになっている。その回転軸１３にファン部３が取り付けられている。
【００２２】
ファン部３は、基部３１と基板３２とはね３３と発光体３４とで構成されている。基部３１は、略半球状に形成されている。この基部３１の底部の径は、例えば、頭部１１の前面１１ａの径より若干小さな寸法で形成されていることが好ましい。この基部３１の底部には、底部より若干小さな径の円形状に凹んだ基板嵌合凹部３１ａが形成されている（図１０参照。）。この基部３１は、図１〜図４、図９及び図１０に示すように、基板３２が嵌合される側の第１基部３５と先端部側の第２基部３６とで上下方向に２つに分割され、第１基部３５と第２基部３６とが嵌合された状態で固着されている。
【００２３】
第１基部３５の接触面（第２基部３６が接触する面）には、その周方向に１８０°間隔で湾曲状に傾斜した傾斜凸部３７が２つ設けられている。これら２つの傾斜凸部３７のうちの一方には、第１基部３５を貫通する貫通孔３８が設けられている。また、第１基部３５の接触面には、例えば、４つの取付孔３９が設けられている。第２基部３６の接触面（第１基部３５が接触する面）には、その周方向に１８０°間隔で、傾斜凸部３７が嵌合するように湾曲状に傾斜した傾斜凹部４１が２つ設けられている。また、第２基部３６の接触面には、第１基部３５の４つの取付孔３９に対向すると共に取付孔３９の径と同じ（略同じを含む。）寸法の径の取付部４２が４つ突出されており、これら取付部４２を取付孔３９に圧入して挿入すると共に、傾斜凹部４１に傾斜凸部３７を嵌合させることにより、第１基部３５と第２基部３６とが嵌合された状態で固着されるようになっている。これら第１基部３５と第２基部３６との間に挟まれるようにはね３３が取り付けらている。
【００２４】
はね３３は、第１基部３５と第２基部３６との間に挟まれる胴部４４と、この胴部４４から互いに反対方向に延びる２つのはね部４５とからなる。すなわち、２つのはね部４５は同一直線上（略同一直線上を含む。）に延びている。はね３３は、胴部４４が傾斜凹部４１と傾斜凸部３７との間に挟まれるように基部３１に取り付けられて、２つのはね部４５が互い違いの方向へねじ曲げられて基部３１の径方向外方に突出している。
【００２５】
はね３３は、風を送ることができれば特に限定されずどのように形成してもよい。また、はね３３は、透明な樹脂で形成され、かつ、その厚さも特に限定されるものではない。はね部４５は、回転することによって風を送ることができればその形状は特に限定されないが、貫通孔３８を有する傾斜凸部３７側のはね部（第１はね部４５ａということがある。）が胴部４４は又は胴部４４近傍に開口部を有する袋状に形成されていることが好ましい。また、残りのはね部４５は、どのように形成されてもよく、例えば、袋状に形成されていてもよい。
【００２６】
第１はね部４５ａ内には発光体３４が設けられている。発光体３４は光を外部に向けて発光させるものである。発光体３４としては、特に限定されないが、ＬＥＤが好ましく、特にチップＬＥＤ４６が好ましい。チップＬＥＤ４６の数は、特に限定されないが、２つ以上が好ましく、特に３つ〜７つが好ましく、５つが最も好ましい。５つのチップＬＥＤ４６は、第１はね部４５ａの長手方向に一定（略一定を含む。）の間隔で配置されている。具体的には、第１はね部４５ａ内に、その長手方向にフレキシブル基板４７の一部が第１はね部４５ａの先端部近傍まで挿入され、このフレキシブル基板４７の前面側となる表面に５つのチップＬＥＤ４６が一定（略一定を含む。）の間隔で実装されている。チップＬＥＤ４６の発光色は、特に限定されず、同一の色でも異なる色でもよいし、その色の組み合わせも特に限定されず、任意の色及び任意の色の組み合わせを選択することができる。５つのチップＬＥＤ４６の色は、例えば、一例としてはねの先端部から胴部へ向かって順次赤色、緑色、黄色、青色、赤色である。５つのチップＬＥＤ４６が実装されたフレキシブル基板４７は、第１はね部４５ａの開口部から延びて、この端部が貫通孔３８を介して基板嵌合凹部３１ａに嵌合されている基板３２に電気的に接続されている。
【００２７】
基板３２は円板状であって、基板嵌合凹部３１ａに嵌合されて固着されるように基板嵌合凹部３１ａと同じ（略同じを含む。）径で形成されている。この基板３２が駆動モータ１２の回転軸１３に同軸上に固着され、基板３２が回転軸１３の回転に伴って回転すると共に、基板３２と回転軸１３とが電気的に接続されるようになっている。基板３２と頭部１１との間の回転軸１３には、絶縁体４８を介して円筒状の導電性の円筒導電部４９が固着されている。この円筒導電部４９の一端部が基板３２に固定されると共に電気的に接続されている。円筒導電部４９の他端部は、頭部１１の前面１１ａ内に位置されている。この円筒導電部４９の外周表面にブラシ部材５２が当接されており、ブラシ部材５２と基板３２とが電気的に接続されるようになっている。すなわち、基板３２と給電源１６とは、回転軸１３と円筒導電部４９とを介して電気的に接続されている。
【００２８】
基板３２には、点滅回路７１が実装されている。点滅回路７１は、５つのチップＬＥＤ４６をそれぞれ個別に一定若しくは特定の周期で又はランダムで点滅させて、前方からはねを見た人に多重円等を構成する様々な光のパターン、例えば、図１１〜図２６に示した１６種類の光のパターンを表示するものである。このため、点滅回路７１による５つのチップＬＥＤ４６の点滅をそれぞれ個別に変えることにより、様々な光のパターンを表示させることができる。
【００２９】
次に、本考案に係る小型扇風機１の作用を説明する。
【００３０】
電池収容部１８の開口部の蓋１９を取り外して、この開口部から電池収容部１８内に３本の単４型電池１７を電池１７毎に所定の向きにして収容する。収容後、取り外した蓋１９を取り付けて開口部を閉塞する。そして、把持部２を片手で把持しながらその親指で電源スイッチ２５の操作ボタン２６を押し込み操作してＯＮ状態にする。すると、３本の単４型電池１７である給電源１６と駆動モータ１２とが電気的に接続されて、駆動モータ１２の回転軸１３が回転してファン部３が回転する。これにより、はね３３も回転して風が前方に送られて、小型の扇風機として利用することができる。
【００３１】
また、ブラシ部材５２が円筒導電部４９の外周表面に当接していると共に回転軸１３の後端部の端面に導電当接板５１が当接していることにより、給電源１６とファン部３の基板３２とが電気的に接続され、はね３３に設けられた５つのチップＬＥＤ４６が回転しながらそれぞれ個別に一定若しくは特定の周期で又はランダムで点滅する。これにより、はね３３を前方から見た人に多重円等を構成する様々な光のパターン、例えば、図１１〜図２６に示した１６種類の光のパターンが表示されるので、視覚的にも美しく、見る人をあきさせない。このとき、５つのチップＬＥＤ４６がはね３３に設けられているので、発光範囲が拡がる。すなわち、５つのチップＬＥＤ４６を基部３１に設ける場合に比して発光範囲が拡がるので、視覚による刺激が強くなる。その結果、本考案に係る小型扇風機１は玩具としても用いることができる。
【００３２】
したがって、本考案に係る小型扇風機１は、５つのチップＬＥＤ４６をはね３３に設けたので、発光範囲が拡がって視覚による刺激が強くなり、扇風機としては勿論玩具としても用いることができる。
【００３３】
また、５つのチップＬＥＤ４６を発光させる給電源１６は、把持部２の３本の単４型電池１７であり、この３本の単４型電池１７は電池収容部１８内に交換可能に収容されているので、電池が切れたときには３本の単４型電池１８を交換すれば、チップＬＥＤ４６が壊れるまではチップＬＥＤ４６の発光を常時行えることになる。その結果、光のパターンの表示も常時行え、いつも視覚的にも美しく、見る人をあきさせない。
【産業上の利用可能性】
【００３４】
以上説明したように本考案に係る小型扇風機は、発光体をはねに配置したので、発光範囲が拡がって視覚による刺激が強くなり、扇風機としては勿論玩具としても用いることができることができ、特に子供の玩具としても好適に用いられるものである。
【図面の簡単な説明】
【００３５】
【図１】本考案に係る小型扇風機の一例を示す斜視図である。
【図２】本考案に係る小型扇風機の一例を示す斜視図である。
【図３】本考案に係る小型扇風機の一例を示す断面図である。
【図４】本考案に係る小型扇風機の一例を示す分解図である。
【図５】本考案に係る小型扇風機の把持部の第１ケース内の一例を示す平面図である。
【図６】本考案に係る駆動モータの結線状態の一例を示す斜視図である。
【図７】本考案に係る駆動モータの一例を示す側面図である。
【図８】本考案に係る駆動モータの結線状態の他の例を示す斜視図である。
【図９】本考案に係る第１基部の一例を示す斜視図である。
【図１０】本考案に係る第２基部の一例を示す斜視図である。
【図１１】本考案に係るファン部を回転させたときの光のパターンの一例を示す図である。
【図１２】本考案に係るファン部を回転させたときの光のパターンの他の例を示す図である。
【図１３】本考案に係るファン部を回転させたときの光のパターンの他の例を示す図である。
【図１４】本考案に係るファン部を回転させたときの光のパターンの他の例を示す図である。
【図１５】本考案に係るファン部を回転させたときの光のパターンの他の例を示す図である。
【図１６】本考案に係るファン部を回転させたときの光のパターンの他の例を示す図である。
【図１７】本考案に係るファン部を回転させたときの光のパターンの他の例を示す図である。
【図１８】本考案に係るファン部を回転させたときの光のパターンの他の例を示す図である。
【図１９】本考案に係るファン部を回転させたときの光のパターンの他の例を示す図である。
【図２０】本考案に係るファン部を回転させたときの光のパターンの他の例を示す図である。
【図２１】本考案に係るファン部を回転させたときの光のパターンの他の例を示す図である。
【図２２】本考案に係るファン部を回転させたときの光のパターンの他の例を示す図である。
【図２３】本考案に係るファン部を回転させたときの光のパターンの他の例を示す図である。
【図２４】本考案に係るファン部を回転させたときの光のパターンの他の例を示す図である。
【図２５】本考案に係るファン部を回転させたときの光のパターンの他の例を示す図である。
【図２６】本考案に係るファン部を回転させたときの光のパターンの他の例を示す図である。
【符号の説明】
【００３６】
１  小型扇風機
２  把持部
３  ファン部
１２  駆動モータ
１３  回転軸
３３  はね
３４  発光体
４６  チップＬＥＤ
４７  フレキシブル基板
１６  給電源
１７  電池
４８  絶縁体
４９  円筒導電部
５１  導電当接板
５２  ブラシ部材
【図１】
0003110299.tif 000003
【図２】
0003110299.tif 000004
【図３】
0003110299.tif 000005
【図４】
0003110299.tif 000006
【図５】
0003110299.tif 000007
【図６】
0003110299.tif 000008
【図７】
0003110299.tif 000009
【図８】
0003110299.tif 000010
【図９】
0003110299.tif 000011
【図１０】
0003110299.tif 000012
【図１１】
0003110299.tif 000013
【図１２】
0003110299.tif 000014
【図１３】
0003110299.tif 000015
【図１４】
0003110299.tif 000016
【図１５】
0003110299.tif 000017
【図１６】
0003110299.tif 000018
【図１７】
0003110299.tif 000019
【図１８】
0003110299.tif 000020
【図１９】
0003110299.tif 000021
【図２０】
0003110299.tif 000022
【図２１】
0003110299.tif 000023
【図２２】
0003110299.tif 000024
【図２３】
0003110299.tif 000025
【図２４】
0003110299.tif 000026
【図２５】
0003110299.tif 000027
【図２６】
0003110299.tif 000028